(57)【要約】【課題】動画像記録中に静止画像を撮影する場合であって、動画像記録を中断することなく、動画像ファイルを形成する複数の圧縮符号化されたフレーム画像から静止画像を容易に作成することができる撮像装置を提供する。【解決手段】被写体からの光を撮像する撮像素子６と、前記撮像素子からの撮像信号に基づく複数のフレーム画像により形成される動画像ファイルを生成する動画像ファイル生成部４と、動画像撮影中に、静止画像の撮影の指示がなされたか否かを判別する判別部４と、前記判別部による判別結果に基づいて、前記動画像ファイル生成部により生成される前記動画像ファイルを形成する前記フレーム画像を、フレーム内符号化画像であるＩフレームに圧縮符号化して記録媒体に記録するか否かを制御する制御部４とを備える。【選択図】  図１
2013175978.tif 000002
【特許請求の範囲】
【請求項１】
被写体からの光を撮像する撮像素子と、
前記撮像素子からの撮像信号に基づく複数のフレーム画像により形成される動画像ファイルを生成する動画像ファイル生成部と、
動画像撮影中に、静止画像の撮影の指示がなされたか否かを判別する判別部と、
前記判別部による判別結果に基づいて、前記動画像ファイル生成部により生成される前記動画像ファイルを形成する前記フレーム画像を、フレーム内符号化画像であるＩフレームに圧縮符号化して記録媒体に記録するか否かを制御する制御部と、
を備えることを特徴とする撮像装置。
【請求項２】
前記制御部は、前記静止画像の撮影の指示がなされたときまたはその直後に、前記撮像素子からの撮像信号に基づき生成される前記フレーム画像を、前記Ｉフレームに圧縮符号化して前記記録媒体に記録することを特徴とする請求項１記載の撮像装置。
【請求項３】
前記静止画像は、連続撮影された複数の連写画像を含み、
前記制御部は、前記連写画像のそれぞれの撮影の指示がなされたときまたはその直後に、前記撮像素子からの撮像信号に基づき生成される前記フレーム画像のそれぞれを、前記Ｉフレームに圧縮符号化して記録することを特徴とする請求項１記載の撮像装置。
【請求項４】
前記制御部は、前記静止画像の撮影の指示がなされたときまたはその直後に、前記撮像素子からの撮像信号に基づき生成されるフレーム画像を、前記静止画像として記録することを特徴とする請求項１〜請求項３の何れか一項に記載の撮像装置。
【請求項５】
前記記録媒体に圧縮符号化され記録されている前記複数のＩフレームのうちの少なくとも１つを選択する選択部を備え、
前記制御部は、前記選択部により選択された前記Ｉフレームを、静止画像として記録することを特徴とする請求項１〜請求項４の何れか一項に記載の撮像装置。
【請求項６】
前記動画像ファイルは、フレーム内符号化画像である複数のＩフレーム、一つの参照フレームを用いたフレーム間符号化画像である複数のＰフレーム、及び複数の参照フレームを用いたフレーム間符号化画像である複数のＢフレームにより形成されることを特徴とする請求項１〜請求項５の何れか一項に記載の撮像装置。
【発明の詳細な説明】
【技術分野】
【０００１】
本発明は、動画像を撮影可能な撮像装置に関するものである。
【背景技術】
【０００２】
ＣＣＤを介して連続的に得られる複数のフレーム画像を、動画像を形成する複数のフレーム画像としてバッファメモリに所定容量分記憶させ、ユーザーにより撮影の指示がなされると、その所定時間前にバッファメモリに記憶された複数のフレーム画像を動画像データとしてメモリに記録する。そしてメモリに記録された動画像データを静止画像化する場合において、撮影の指示がなされたときに得られたフレーム画像をメインフレームとして、その他のフレーム画像と共に、レイアウト情報に従って、配置して印刷可能な一枚の静止画を作成する撮像装置が提案されている（例えば、特許文献１参照）。
【先行技術文献】
【特許文献】
【０００３】
【特許文献１】特開２００６−１９７５００号公報
【発明の概要】
【発明が解決しようとする課題】
【０００４】
しかしながら、上述の特許文献１記載の撮像装置では、例えばｈ．２６４等の動画圧縮規格に従ってデータ圧縮された動画ファイル内のフレーム画像を静止画像として記録する技術は開示されていない。例えばｈ．２６４等の動画圧縮規格に従ってデータ圧縮された動画像ファイルは、単独で復号可能なフレーム内符号化画像であるＩフレーム、前フレームを参照することにより復号可能なフレーム間符号化画像であるＰフレーム、前後のフレームを参照することにより復号可能なフレーム間符号化画像であるＢフレームを含んで形成されている。そして、動画像撮影中に静止画像を撮影する場合であって、動画像をｈ．２６４等の動画圧縮規格に従ってデータ圧縮したとき、Ｉフレームに基づき静止画像を生成するのは容易であったが、Ｐフレーム及びＢフレームに基づき静止画像を生成するのは容易でなく、専用の編集装置や編集ソフトを必要としていた。一方、Ｉフレームのみで形成される動画像ファイルを作成すると、動画像ファイルを形成するフレーム画像から静止画像を容易に生成できたが、動画像ファイルの容量が大きくなり、大容量の記録媒体を必要としていた。
【０００５】
本発明の目的は、動画像記録中に静止画像を撮影する場合であって、動画像記録を中断することなく、動画像ファイルを形成する複数の圧縮符号化されたフレーム画像から静止画像を容易に作成することができる撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置は、被写体からの光を撮像する撮像素子（６）と、前記撮像素子からの撮像信号に基づく複数のフレーム画像により形成される動画像ファイルを生成する動画像ファイル生成部（４）と、動画像撮影中に、静止画像の撮影の指示がなされたか否かを判別する判別部（４）と、前記判別部による判別結果に基づいて、前記動画像ファイル生成部により生成される前記動画像ファイルを形成する前記フレーム画像を、フレーム内符号化画像であるＩフレームに圧縮符号化して記録媒体に記録するか否かを制御する制御部（４）とを備えることを特徴とする。
【発明の効果】
【０００８】
本発明の撮像装置によれば、動画像記録中に静止画像を撮影する場合であって、動画像記録を中断することなく、動画像ファイルを形成する複数の圧縮符号化されたフレーム画像から静止画像を容易に作成することができる。
【図面の簡単な説明】
【０００９】
【図１】実施の形態に係る電子カメラのシステム構成を示すブロック図である。
【図２】複数のフレーム画像により形成される動画像ファイルについて説明するための図である。
【図３】実施の形態に係る電子カメラにおいて動画像撮影中に静止画像を撮影する際の処理について説明するためのフローチャートである。
【図４】実施の形態に係る電子カメラにおいて動画像撮影中に静止画像を撮影する際の処理について説明するためのフローチャートである。
【図５】複数のフレーム画像により形成される動画像ファイル及び静止画像について説明するための図である。
【図６】複数のフレーム画像により形成される動画像ファイル及び連写画像について説明するための図である。
【発明を実施するための形態】
【００１０】
以下、図面を参照して、本発明の実施の形態に係る撮像装置としての電子カメラについて説明する。図１は、この実施の形態に係る電子カメラ２のシステム構成を示すブロック図である。図１に示すように、電子カメラ２は、マイクロプロセッサ等により構成され、電子カメラ２の各部を統括的に制御する制御部４を備えており、制御部４には、撮像素子６、バッファメモリ８、画像処理部１０、記録媒体１２、及び操作部１４が接続されている。撮像素子６は、ＣＣＤまたはＣＭＯＳ等により構成され、図示しない撮影レンズを介した被写体からの光を撮像し、制御部４は、撮像素子６から出力され、図示しないＡ／Ｄ変換部等を介すことによりアナログ信号からデジタル信号に変換された撮像信号に基づく画像データを取得する。バッファメモリ８は、撮像素子６から出力された撮像信号に基づき生成された画像データを一時的に記憶する。
【００１１】
画像処理部１０は、バッファメモリ８に記憶されている画像データに基づいて、動画像ファイルを形成する複数のフレーム画像の画像処理や静止画像の画像処理を行う。具体的には、バッファメモリ８に記憶されている画像データに対して、例えばｈ．２６４等の動画圧縮規格に従って動画圧縮処理等の画像処理を施し、単独で復号可能なフレーム内符号化画像であるＩフレーム、前フレームを参照することにより復号可能なフレーム間符号化画像であるＰフレーム、前後のフレームを参照することにより復号可能なフレーム間符号化画像であるＢフレームを生成する。この実施の形態では、図２に示すように、Ｉフレーム（図中白抜きで示す）、Ｐフレーム（図中ドットで示す）、Ｂフレーム（図中斜線で示す）の順に時系列に生成され、これら複数のフレーム画像により動画像ファイル２０が形成され、後述する記録媒体１２に記録される。なお、複数のＩフレーム及びＰフレームにより形成される動画像ファイル、Ｉフレーム、Ｐフレーム、Ｂフレームが図２で示す順序以外の順に時系列に生成され、これら複数のフレーム画像により形成される動画像ファイル等であってもよい。
【００１２】
記録媒体１２は、電子カメラ２に設けられたカードスロット（図示せず）に着脱可能に装着される可搬性を有する記録媒体であり、記録媒体１２には、静止画像及び動画像の画像ファイル（例えば、図２に示す動画像ファイル２０）が記録されている。操作部１４は、電源をオン／オフする電源スイッチ、静止画像の撮影等を指示するためのレリーズボタン、動画像の記録開始や記録終了を指示するための録画ボタン、撮影モードを選択するためのモードボタン等を備えて構成されている。
【００１３】
この実施の形態に係る電子カメラ２においては、動画像撮影中にレリーズボタンが押下されると、レリーズボタンが押下されたときに撮像素子６から出力された撮像信号に基づき生成される画像データに対して、レリーズボタンが押下されたときの画像データであることを示すタグを付加し、動画像撮影後にタグが付加された画像データに基づくフレーム画像から静止画像を生成する。以下、図３及び図４に示すフローチャートを参照して、この実施の形態に係る電子カメラ２において動画像撮影中に静止画像を撮影する際の処理について説明する。
【００１４】
まず、制御部４は、図３に示すように、例えばユーザーにより録画ボタンが押下される等、動画像の撮影開始の指示がなされると（ステップＳ１０）、動画像サイクル（例えば、３０ｆｐｓや６０ｆｐｓ等）に同期して撮像素子６から出力される撮像信号に基づく画像データの取得を開始し、ユーザーによりレリーズボタンが押下されたか否かを判別する（ステップＳ１１）。ステップＳ１１においてレリーズボタンが押下されたと判別された場合には（ステップＳ１１、Ｙｅｓ）、制御部４は、ユーザーにより動画像撮影中に静止画像の撮影の指示がなされたと判断し、レリーズボタンが押下されたときまたはその直後に撮像素子６から出力された撮像信号に基づき生成された画像データに対して、静止画像の撮影指示がなされたときの画像データであることを示すタグを付加する（ステップＳ１２）。なお、後述するように、タグが付加された画像データに基づいて静止画像を動画像撮影後に生成するため、タグを付加すると同時に静止画像の撮影に関する情報（シャッタ秒時、ＩＳＯ感度等）も画像データに付加する。そして、ステップＳ１２においてタグが付加された画像データをバッファメモリ８に記憶させる（ステップＳ１３）。
【００１５】
一方、ステップＳ１１においてレリーズボタンが押下されていないと判別された場合には（ステップＳ１１、Ｎｏ）、制御部４は、タグを付加することなく、撮像素子６から出力される撮像信号に基づく画像データをバッファメモリ８に記憶させる（ステップＳ１３）。このように、バッファメモリ８には、撮像素子６から動画像サイクルに同期して出力される撮像信号に基づく複数の画像データが順に連続的に記憶される。
【００１６】
具体的には、バッファメモリ８が例えばｎ枚（ｎは自然数）のフレーム画像を記憶可能な記憶領域を有している場合において、制御部４は、１番目に取得したフレーム画像、２番目に取得したフレーム画像…ｎ番目に取得したフレーム画像と、バッファメモリ８内に順次記憶させる。そして、ｎ枚のフレーム画像を記憶した後、次のフレーム画像が出力されると、バッファメモリ８内から最古のフレーム画像を削除し、最新のフレーム画像を記憶させ、次のフレーム画像が出力される度に、最古のフレーム画像を削除し、最新のフレーム画像を記憶させる処理を繰り返す。
【００１７】
次に、制御部４は、ユーザーにより録画終了ボタンが押下される等、動画像の撮影終了の指示がなされたか否かを判別する（ステップＳ１４）。ステップＳ１４において動画像の撮影終了の指示がなされていないと判別された場合には（ステップＳ１４、Ｎｏ）、制御部４は、ステップＳ１１の処理に戻り、ステップＳ１１〜Ｓ１４の処理を繰り返す。一方、ステップＳ１４において動画像の撮影終了の指示がなされたと判別された場合には（ステップＳ１４、Ｙｅｓ）、制御部４は、撮像素子６から出力される撮像信号に基づく画像データのバッファメモリ８への記憶を停止する。
【００１８】
なお、ステップＳ１０においてユーザーにより動画像の撮影開始の指示がなされたと判別され（ステップＳ１０、Ｙｅｓ）、撮像素子６から出力される撮像信号に基づく画像データのバッファメモリ８への記憶が開始されると（ステップＳ１３）、制御部４は、バッファメモリ８に記憶されている画像データを、画像処理部１０において動画像処理し、動画像ファイルを形成するフレーム画像として記録媒体１２に記録させる。
【００１９】
即ち、図４に示すように、制御部４は、まず、図示しないカウンターのカウント値Ｎを１に（Ｎ＝１）設定し（ステップＳ２０）、バッファメモリ８に記憶されている最古の画像データ、即ちバッファメモリ８に記憶されている画像データの中で最初に記憶された画像データを取得する（ステップＳ２１）。次に、制御部４は、カウント値Ｎが１であるか否かを判別する（ステップＳ２２）。ここではステップＳ２０及びＳ２１の処理を経ているため、ステップＳ２２においてカウント値Ｎが１であると判別され（ステップＳ２２、Ｙｅｓ）、制御部４は、ステップＳ２１において取得した画像データから、図５に示すように、画像処理部１０において動画像処理を施すことによりＩフレームＩ１（白抜きで示す）を生成する（ステップＳ２４）。そして、制御部４は、カウント値Ｎが３であるか否かを判別する（ステップＳ２５）。カウント値Ｎは１であるから、ステップＳ２５においてカウント値Ｎが３でないと判別し（ステップＳ２５、Ｎｏ）、カウンターのカウント値Ｎに１を加算（Ｎ＝Ｎ＋１、この場合はＮ＝２）する（ステップＳ２８）。そして、ステップＳ２４において生成されたフレーム画像（ＩフレームＩ１）を、記録媒体１２に記録する（ステップＳ３１）。なお、ステップＳ２１において取得された画像データは、バッファメモリ８から削除される。そして、バッファメモリ８に画像データが存在するため（ステップＳ３２、Ｙｅｓ）、ステップＳ２１の処理に戻る。
【００２０】
制御部４は、バッファメモリ８に記憶されている画像データの中で最古の画像データを２番目の画像データとして取得する（ステップＳ２１）。そしてステップＳ２２において、カウント値Ｎ＝２であるため、カウント値Ｎが１でないと判別する（ステップＳ２２、Ｎｏ）。ステップＳ２１において取得した２番目の画像データにタグが付加されているか否かを判別する（ステップＳ２３）。即ち、図３に示すステップＳ１２において静止画像の撮影指示がなされたときの画像データであることを示すタグが付加されているか否かを判別する。ステップＳ２３において画像データにタグが付加されていないと判別された場合には（ステップＳ２３、Ｎｏ）、制御部４は、カウント値Ｎが２であるか否かを判別する（ステップＳ２６）。ここではカウント値Ｎ＝２であるため（ステップＳ２６、Ｙｅｓ）、制御部４は、ステップＳ２１において取得した２番目の画像データから、図５に示すように、画像処理部１０において動画像処理を施すことによりＰフレームＰ１（ドットで示す）を生成する（ステップＳ２７）。そして、カウント値Ｎに１を加算（この場合はＮ＝３）し（ステップＳ２８）、ステップＳ２７において生成されたフレーム画像（ＰフレームＰ１）を、記録媒体１２に記録する（ステップＳ３１）。そして、バッファメモリ８に画像データが存在するため（ステップＳ３２、Ｙｅｓ）、再びステップＳ２１の処理に戻る。
【００２１】
次に、ステップＳ２１、Ｓ２２，Ｓ２３，Ｓ２６の処理を経て、ステップＳ２６においてカウント値Ｎが２でないと判別されると（ステップＳ２６、Ｙｅｓ）、制御部４は、カウント値Ｎが３であると判断し、ステップＳ２１において取得した３番目の画像データから、図５に示すように、画像処理部１０において動画像処理を施すことによりＢフレームＢ１（斜線で示す）を生成する（ステップＳ２９）。そして、カウント値Ｎを１に設定（Ｎ＝１）し（ステップＳ３０）、ステップＳ２９において生成されたフレーム画像（ＢフレームＢ１）を、記録媒体１２に記録する（ステップＳ３１）。そして、バッファメモリ８に画像データが存在するため（ステップＳ３２、Ｙｅｓ）、再びステップＳ２１の処理に戻る。
【００２２】
上述したように、ステップＳ２１〜Ｓ３２の処理を繰り返すことにより、図５に示すように、ＩフレームＩ２，ＰフレームＰ２，ＢフレームＢ２，ＩフレームＩ３，ＰフレームＰ３，ＢフレームＢ３，ＩフレームＩ４を順次生成し（ステップＳ２４、Ｓ２７，またはＳ２９）、記録媒体１２に順次記録する（ステップＳ３１）。
【００２３】
そして、ステップＳ２３において画像データにタグが付加されていると判別されると（ステップＳ２３、Ｙｅｓ）、ステップＳ２１において取得した画像データから、図５に示すように、画像処理部１０において動画像処理を施すことにより、Ｐフレームでなく、ＩフレームＩＳ（白抜きで示す）を生成する（ステップＳ２４）。即ち、動画像ファイル２２（図５参照）を生成後、静止画像を生成する際（後述する）、動画像ファイル２２を形成する複数のフレーム画像のうちの１つのフレーム画像から静止画像を生成することができるように、前フレームを参照することにより復号可能なＰフレームでなく、単独で復号可能なＩフレームＩＳを生成する。なお、図５では、Ｐフレームに代えてＩフレームを生成しているが、Ｂフレームが生成される予定の画像データにタグが付加されている場合においても、前後のフレームを参照することにより復号可能なＢフレームに代えてＩフレームを生成する。
【００２４】
次に、制御部４は、カウント値Ｎが３でないと判別すると（ステップＳ２５、Ｎｏ）、カウント値Ｎに１を加算（この場合はＮ＝３）し（ステップＳ２８）、ステップＳ２４において生成されたフレーム画像（ＩフレームＩＳ）を、記録媒体１２に記録する（ステップＳ３１）。一方、カウント値Ｎが３であると判別された場合には（ステップＳ２５、Ｙｅｓ）、制御部４は、カウンターのカウント値Ｎを１に（Ｎ＝１）設定し（ステップＳ３０）、ステップＳ２４において生成されたフレーム画像を記録媒体１２に記録する（ステップＳ３１）。
【００２５】
このように、ステップＳ３２においてバッファメモリ８に画像データが存在しないと判別されるまで（ステップＳ３２、Ｎｏ）、ステップＳ２１〜Ｓ３２の処理を繰り返すことにより、図５に示すように、ＰフレームＰ４，ＢフレームＢ４，ＩフレームＩ５，ＰフレームＰ５，ＢフレームＢ５，ＩフレームＩ６，ＰフレームＰ６，ＢフレームＢ６，ＩフレームＩ７，ＰフレームＰ７を順次生成し（ステップＳ２４、Ｓ２７，またはＳ２９）、記録媒体１２に順次記録する（ステップＳ３１）。
【００２６】
次に、制御部４は、図３に示すステップＳ１１においてレリーズボタンが押下されたときのフレーム画像に基づいて、静止画像を生成し、生成した静止画像を記録媒体１２に記録する（ステップＳ３３）。具体的には、記録媒体１２に記録されている動画像ファイル２２を形成する複数のフレーム画像のうち、タグが付加されているフレーム画像（図５では、ＩフレームＩＳ）を読み出す。そして、読み出したＩフレームＩＳから、図５に示すように、画像処理部１０において静止画像処理を施すことにより静止画像Ｓを生成し、生成された静止画像Ｓを記録媒体１２に記録する（ステップＳ３３）。なお、図３に示すステップＳ１２においてタグと同時に付加された静止画像の撮影に関する情報（シャッタ秒時、ＩＳＯ感度等）も、所定の形式で静止画像Ｓに付加して、記録媒体１２に記録する。
【００２７】
この実施の形態に係る電子カメラ２によれば、動画像撮影中に静止画像を撮影する際、動画像撮影後に生成される静止画像の基となるフレーム画像を、単独で復号可能なＩフレームで生成するため、動画像記録を中断することなく、複数の圧縮符号化されたフレーム画像から静止画像を容易に作成することができる。即ち、従来では、ｈ．２６４等の動画圧縮規格に従って動画圧縮処理された複数のフレーム画像のうちの１つのフレーム画像を用いて静止画像を生成する場合、Ｉフレームから静止画像を容易に生成することができるが、前フレーム画像を参照することにより復号可能なＰフレームや、前後のフレーム画像を参照することにより復号可能なＢフレームから静止画像を生成するのは容易ではなかった。したがって、ユーザーが動画像撮影中にレリーズボタンを押下したときのフレーム画像から静止画像を生成するのが容易でない場合があった。しかしながら、この実施の形態に係る電子カメラ２においては、ユーザーが動画像撮影中にレリーズボタンを押下したときのフレーム画像は常にＩフレームで生成されるため、静止画像を容易に生成することができる。即ち、動画圧縮率の高い動画像、及び該動画像撮影中における静止画像を容易に生成することができる。
【００２８】
なお、上述の実施の形態においては、１つの動画像撮影中に１枚の静止画像を撮影する場合を例に挙げて説明したが、ユーザーが１つの動画像撮影中に２回以上レリーズボタンを押下した場合等、１つの動画像撮影中に２枚以上の静止画像を撮影することもできる。
【００２９】
また、１つの動画像撮影中に、動画サイクルと同期して連続撮影された連写画像を撮影する場合においても本発明を適用することができる。この場合には、動画像撮影中においてユーザーによりレリーズボタンが長押しされる等、連写画像の撮影の指示がなされると（図３のステップＳ１１、Ｙｅｓ）、制御部４は、レリーズボタンが押下されたときまたはその前後に撮像素子６から出力された撮像信号に基づき生成された所定数の画像データに対して、連写画像の撮影指示がなされたときの画像データであることを示すタグを付加する（ステップＳ１２）。そして、図６に示すように、タグが付加されていない画像データからフレーム画像Ｉ１，Ｐ１，Ｂ１，Ｉ２，Ｐ２，Ｂ２，Ｉ３，Ｐ３を、タグが付加されている所定数（図６では５枚）の画像データからＩフレームＩｓ１，Ｉｓ２，Ｉｓ３，Ｉｓ４，Ｉｓ５を、タグが付加されていない画像データからフレーム画像Ｐ５，Ｂ５，Ｉ６，Ｐ６，Ｂ６，Ｉ７，Ｐ７を生成する。なお、所定数は、１回に連続撮影される枚数として予め設定されており、図示しないメモリ等に記憶されている。そして更に、ＩフレームＩｓ１，Ｉｓ２，Ｉｓ３，Ｉｓ４，Ｉｓ５から、静止画像（連写画像）Ｓ１，Ｓ２，Ｓ３，Ｓ４，Ｓ５を生成する。
【００３０】
また、１つの動画像撮影中に、動画サイクルと同期せずに（動画サイクルと異なるサイクルで）連続撮影された連写画像を撮影する場合においても本発明を適用することができる。この場合には、動画像撮影中においてユーザーにより連写画像の撮影の指示がなされると（図３のステップＳ１１、Ｙｅｓ）、制御部４は、レリーズボタンが押下されたときから指定されたサイクル毎（例えば、５ｆｐｓの場合には０．２ｍｓ毎）に撮像素子６からの撮像信号に基づき生成される画像データに対して、連写画像の撮影指示がなされたときの画像データであることを示すタグを付加する（ステップＳ１２）。そして、タグが付加されていない画像データからＰフレームまたはＢフレームを生成し、タグが付加されている画像データからＩフレームを生成する。そして更に、タグが付加されているＩフレームから、静止画像（連写画像）を生成する。
【００３１】
また、上述の実施の形態においては、動画像ファイル及び静止画像ファイルの両方を記録媒体１２に記録しているが、電子カメラ２が２つの記録媒体を着脱可能なカードスロット（図示せず）を備えている場合には、動画像ファイルを一方の記録媒体に記録し、静止画像ファイルを他方の記録媒体に記録する構成にすることもできる。
【００３２】
また、上述の実施の形態においては、動画像撮影中にレリーズボタンが押下されたときのフレーム画像に基づいて静止画像を生成しているが、動画像撮影後に、動画像ファイルに含まれるＩフレームのサムネイル画像のみを図示しない表示部等に表示し、ユーザーにより選択された１つのサムネイル画像に基づくＩフレームに基づいて静止画像を生成することもできる。
【符号の説明】
【００３３】
２…電子カメラ、４…制御部、６…撮像素子、８…バッファメモリ、１０…画像処理部、１２…記録媒体、１４…操作部。
【図１】
2013175978.tif 000003
【図２】
2013175978.tif 000004
【図３】
2013175978.tif 000005
【図４】
2013175978.tif 000006
【図５】
2013175978.tif 000007
【図６】
2013175978.tif 000008